(57)【特許請求の範囲】
【請求項１】
透液性内面シートと、不透液性外面シートと、これらシート間に介在する吸液性コアとから構成されて、前後腰回域と、股下域とを有する吸収性構造体を備え、前記外面シートが、通気性外層と、その内面に積層された不透液性内層とから構成され、前記前後腰回域において前記コアの端縁から外側へエンドフラップが延出する使い捨ておむつにおいて、
前記前後腰回域の前記エンドフラップの少なくとも一方であって、前記エンドフラップの端縁とこれが対向する前記コアの端縁との間における前記一方のエンドフラップの所定寸法域が前記コアの端縁から外側へ延出する前記外層部分及び内面シート部分で形成され、前記所定寸法域における前記一方のエンドフラップの内面に通気性吸汗シートが少なくともおむつの腰回方向へ間欠的に接合され、前記通気性吸汗シートが位置する前記エンドフラップには前記腰回方向へ弾性収縮する弾性部材が取付けられていることを特徴とする前記おむつ。
【請求項２】
前記通気性吸汗シートが少なくとも２０重量％の親水性繊維を含んでいる請求項１に記載のおむつ。
【請求項３】
前記通気性吸汗シートが、着用者の肌に当接する上層と、該肌に当接しない下層との積層から構成され、前記上層が少なくとも２０重量％の親水性繊維を含み、前記下層が疎水性繊維から形成されている請求項１又は２に記載のおむつ。
【請求項４】
前記通気性吸汗シートが直径０．１〜３ｍｍの多数の開孔を有する請求項１乃至３のいずれかに記載のおむつ。
【請求項５】
前記外面シートの前記外層が不織布から、かつ、前記外面シートの前記内層がプラスチックフィルムから形成されている請求項１乃至４のいずれかに記載のおむつ。
【発明の詳細な説明】
【０００１】
【発明の属する技術分野】
この発明は、排泄物を吸収保持する使い捨ておむつに関する。
【０００２】
【従来の技術】
一般に、この種のおむつは、着用中におけるおむつの着崩れやずれ落ちを防止するため、その腰回バンド域を形成するエンドフラップが締付けられて着用者の肌に圧着される。このため、その圧着域における着用者の肌から発汗し、その圧着と発汗とが、着用者に不快感を与えるばかりでなく、湿疹、あせも、かぶれ等の皮膚病を招く原因となる。
【０００３】
従来、例えば、実開平５−４１５２５において、後腰回域の内面に汗を吸収するための綿布地シートが取外可能に取付けられたおむつが開示されている。
【０００４】
【発明が解消しようとする課題】
前記実開平５−４１５２５は、単に汗を吸収するための綿布地シートを後腰回バンド域に備えることを教示するに止まる。しかしながら、この種のおむつにおいては、単にそのようになしただけでは、前記不快感や皮膚病を未然に防止することは困難である。この発明者らの知見によれば、腰回バンド域は吸汗性と同時に通気性を有している必要があるからである。
【０００５】
この発明は、前述の問題に鑑み、前記腰回バンド域を形成する前後腰回域のエンドフラップの少なくとも一方、特に後腰回域のエンドフラップを通気及び吸汗の機能を有する構成にすることを課題とする。
【０００６】
【課題を解決するための手段】
この発明は、透液性内面シートと、不透液性外面シートと、これらシート間に介在する吸液性コアとから構成されて、前後腰回域と、股下域とを有する吸収性構造体を備え、前記外面シートが、通気性外層と、その内面に積層された不透液性内層とから構成され、前記前後腰回域において前記コアの端縁から外側へエンドフラップが延出する使い捨ておむつの改良にある。
【０００７】
改良に係るこの発明の特徴は、前記前後腰回域の前記エンドフラップの少なくとも一方であって、前記エンドフラップの端縁とこれが対向する前記コアの端縁との間における前記一方のエンドフラップの所定寸法域が前記コアの端縁から外側へ延出する前記外層部分及び内面シート部分だけで形成され、前記所定寸法域における前記一方のエンドフラップの内面に通気性吸汗シートが少なくともおむつの腰回方向へ間欠的に接合され、前記通気性吸汗シートが位置する前記エンドフラップには前記腰回方向へ弾性収縮する弾性部材が取付けられていることにある。
【０００８】
この発明は、前記通気性吸汗シートが少なくとも２０重量％の親水性繊維を含んでいる；前記通気性吸汗シートが、着用者の肌に当接する上層と、該肌に当接しない下層との積層から構成され、前記上層が少なくとも２０重量％の親水性繊維を含み、前記下層が疎水性繊維から形成されている；前記通気性吸汗シートが直径０．１〜３ｍｍの多数の開孔を有する；前記外面シートの前記外層が不織布から、かつ、前記外面シートの前記内層がプラスチックフィルムから形成されていることを構成態様として含む。
【０００９】
【実施の態様】
図面を参照して、この発明に係るパンツ型の使い捨ておむつを例にして、その実施の形態を説明すると、以下のとおりである。
【００１０】
図１において、おむつは、縦中心線１を介して両側域が対称に形成され、前腰回域２と、後腰回域３と、股下域４とを有し、前後腰回域２，３の両側縁５がそれらの縦方向に間欠的に接合されることで、弾性伸縮性の開口部６と、弾性伸縮性の一対の脚開口部７とが画成されている。
【００１１】
図２及び図３において、おむつは基本的に、吸収性構造体８と、通気性吸汗シート９とから構成されている。吸収性構造体８は、透液性内面シート１０と、不透液性外面シート１１と、これらシート間に配置された吸液性コア１２とから構成されている。外面シート１１は、通気性外層１１ａの内面に融着又は接着剤による手段（図示せず）で一体的に積層された不透液性内層１１ｂとから構成されている。コア１２の周縁から内外面シート１０，１１が外側へ延出し、それらの延出部分で後腰回バンド域としてのエンドフラップ１３と、サイドフラップ１９（図１参照）とが形成されている。ただし、エンドフラップ１３においては、外面シート１１の内層１１ｂがコア１２の端縁から外側へ僅かに延出するだけであって、外面シート１１の外層１１ａと表面シート１０とがエンドフラップ１３の殆どの域を占めている。エンドフラップ１３における表面シート１０の上面にはおむつの腰回方向へ通気性吸汗シート９が延在し、公知のホットメルト、熱エンボス／デボス、熱シール等の接合手段１４でおむつの腰回方向とその縦方向とに間欠的に接合されている。エンドフラップ１３を形成する外面シート１１の外層１１ａは、表面シート１０よりもおむつの縦方向寸法が大きく、表面シート１０側へ折返されてこれに前記接合手段と同様な接合手段等（図示せず）で接合されている。エンドフラップ１３における外層１１ａの延長部分１１ｃと表面シート１０の延長部分１０ａとの間にはおむつの腰回方向へ弾性収縮する複数本の弾性部材１５が公知のホットメルト（図示せず）を介して固定されている。
【００１２】
図４に示す実施の形態においては、図３に示す実施の形態とは異なり、通気性吸汗シート２９は、前記通気性吸汗シート９よりも幅広く形成されるとともに、外面シート１１の外層１１ａの延長部分１１ｃが表面シート１０側へ折返された部分の上面を含むエンドフラップ１３のほぼ全域に接合されている。
【００１３】
図３及び図４に示す実施の形態において、表面シート１０の延長部分１０ａが外面シート１１の内層１１ｂと同様にエンドフラップ１３の域に僅かに延在し、通気性吸汗シート９，２９の殆どの域が外面シート１１の外層１１ａの延長部分１１ｃに直接接合されていてもよい。
【００１４】
図５及び図６に示すように、通気性吸汗シート９，２９は、親水性繊維を少なくとも２０重量％含む上層９ａ，２９ａとこれに一体に積層された疎水性繊維の下層９ｂ，２９ｂとから形成されているものであることが、通気及び吸汗と所要のクッションの各機能を有するうえで好ましいが、通気性吸汗シート９，２９が単一層から形成され、親水性繊維を少なくとも２０重量％含むものであっても別段差支えはない。親水性繊維としては、レーヨン等のセルロース系繊維、繊維表面が親水化処理されている吸汗ポリエステル繊維等が用いられる。親水性繊維以外の繊維、すなわち疎水性繊維としては、ポリプロピレン、ポリエステル、ポリエチレン−ポリエステルの複合繊維、該複合繊維が捲縮したもの等が用いられる。通気性吸汗シート９，２９のシート形態としては、特に問われないが、目付１０〜１００ｇ／ｍ２、繊度０．１〜１０ｄを有するスパンレース、ニードルパンチ、サーマルボンド、スパンボンド、メルトブロン、ケミカルボンド等の不織布が挙げられる。通気性吸汗シート９，２９は、直径０．１〜３ｍｍの多数の開孔１６が形成されているものが、通気性を向上するうえで好ましい。
【００１５】
図２に示すように、実施の形態においては、通気性吸汗シート９は、後腰回域３にだけ備えてあるが、これは着用者の後腰回りがその前腰回りよりも発汗が多いからであるが、必要に応じて、前腰回域にも備えることもできる。通気性吸汗シート２９も同様である。
【００１６】
再び、図２において、股下域４における内外面シート１０，１１は、それらの両側部に図１に示す脚開口部７を画成する凹欠部１７を有する。凹欠部１７に沿う内外面シート１０，１１間には脚回方向へ弾性収縮する弾性部材１８が公知のホットメルト（図示せず）を介して固定されている。コア１２は、半剛性を有し、内外面シート１０，１１間に公知のホットメルト（図示せず）で比較的不動に固定され、妄りに形崩れすることがない。内外面シート１０，１１は高度の可撓性を有し、したがって、エンドフラップ１３及びサイドフラップ１９も比較的高度の可撓性を有し、着用者の腰回り及び脚回りに柔かく密接する。サイドフラップ１９においては、外面シート１１の外層１１ａ及び内層１１ｂ（図３参照）がともに内面シート１０と同じ長さでコア１２の側縁から延出しているが、内層１１ｂの側縁が外層１１ａの側縁よりも内側に位置してもよい。内層１１ｂは不透液性であるとともに透湿性であることが、エンドフラップ１３における通気性とは別に、おむつ内の湿気をおむつ外へ放出させるうえで好ましい。
【００１７】
内面シート１０としては、通気性不織布、多孔性プラスチックフィルム等、外面シート１１の外層１１ａとしては、通気性不織布等、外面シート１１の内層１１ｂとしては、プラスチックフィルム等、コア１２としては、フラッフパルプと超吸収性ポリマー粒子との混合物が吸収拡散性シートで被覆されたもの等であって、使い捨ておむつや生理用ナプキンの構成材料として慣用されているものが用いられ得る。通気性吸汗シート９，２９としては、一般的には、既述した材料が用いられるが、好適には、上層９ａ，２９ａと下層９ｂ，２９ｂとから形成され、上層９ａ，２９ａはレーヨン繊維５０重量％とポリプロピレン繊維５０重量％との混合繊維が、かつ、下層９ｂ，２９ｂはポリプロピレン繊維８０重量％とポリエチレン−ポリエステルの芯−鞘型複合繊維２０重量％とが用いられる。また、通気性吸汗シート９，２９は、捲縮繊維を含んでいると、クッションと通気の各機能が向上する。
【００１８】
なお、吸収性構造体８は、その両側縁部が接合されないオープン型のものであってもよい。
【００１９】
前述の構成に係るこの発明のおむつにおいては、着用者の腰回りにおける発汗が通気性吸汗シート９，２９で吸収されるとともに、エンドフラップ１３において外面シート１１の内層１１ｂが介在しない域における外面シート１１の外層１１ａを介しての通気によりおむつ外へ放出される。
【００２０】
特に、通気性吸汗シート９，２９がエンドフラップ１３において間欠的に接合されていることに加えて、弾性部材１５が弾性収縮するため、通気性吸汗シート９，２９と外面シート１１の外層１１ａの延長部分１１ｃとの間に多量の空間が生じ、その結果、エンドフラップ１３における通気性は一層向上し、通気性吸汗シート９，２９が常に比較的乾燥した状態に保たれることになる。
【００２１】
【発明の効果】
この発明に係るおむつによれば、以上の説明から明らかなように、腰回バンド域であるエンドフラップが優れた通気性を有するとともに着用者の発汗を吸収するので、おむつ内部における蒸れで不快感を着用者に与えないばかりでなく、既述した皮膚病を未然に防止することができ、実用に供して極めて有益である。
【図面の簡単な説明】
【図１】  この発明の実施形態の一例としてのパンツ型使い捨ておむつの斜視図。
【図２】  一部が切欠された前記おむつの展開平面図。
【図３】  後腰回域及びその近傍の拡大断面図。
【図４】  図３の実施の形態とは異なる後腰回域及びその近傍の拡大断面図。
【図５】  通気性吸汗シートの実施の形態の一例を示す断面図。
【図６】  通気性吸汗シートの実施の形態の他の一例を示す断面図。
【符号の説明】
２    前腰回域
３    後腰回域
４    股下域
８    吸収性構造体
９，２９    通気性吸汗シート
９ａ，２９ａ    上層
９ｂ，２９ｂ    下層
１０    内面シート
１１    外面シート
１１ａ    外層
１１ｂ    内層
１２    コア
１３    エンドフラップ
１４    接合手段
１５    弾性部材
１６    開孔
【図１】
0003820043.tif 000002
【図２】
0003820043.tif 000003
【図３】
0003820043.tif 000004
【図４】
0003820043.tif 000005
【図５】
0003820043.tif 000006
【図６】
0003820043.tif 000007